(57)【特許請求の範囲】
【請求項１】
電荷を蓄電可能な蓄電部を内蔵し、持ち運び可能な可搬部と、前記蓄電部を充電する充電器を内蔵し、前記可搬部を着脱可能に保持する充電部とを備えた非常用電源装置であって、
前記可搬部は、
前記蓄電部を収納するケースと、
前記ケースに収納されたインバータと、
前記ケースに設けられた把持部と、
前記ケースに設けられ、前記インバータからの交流電流が出力される交流出力部と、
前記ケースに設けられ、前記蓄電部を充電する直流電流が入力される直流入力部と
を備え、
前記充電部は、
前記可搬部を着脱可能に保持する保持部と、
前記充電器を収納する収納部と、
前記充電部が取り付けられる取り付け部に当接して固定される固定部と
を備え、
前記ケースは、上面、正面、左側面、右側面、底面、及び背面の六面から箱型に形成され、
前記左側面には、係合突起が突出し、
前記右側面には、係合突起が突出し、
前記保持部は、前記左側面に対向する保持部左側面と、前記右側面に対向する保持部右側面とを備え、
前記保持部左側面には、前記左側面の係合突起が係合する、前記正面の側から前記底面の方向である下方に向けて屈曲した係合溝が設けられ、
前記保持部右側面には、前記右側面の係合突起が係合する、前記正面の側から前記底面の方向である下方に向けて屈曲した係合溝が設けられていることを特徴とする非常用電源装置。
【請求項２】
前記可搬部の前記ケースには、前記可搬部が非常用電源であることを示す発光表示部が設けられていることを特徴とする請求項１に記載の非常用電源装置。
【請求項３】
前記充電部は、前記交流出力部に接続される機器が収納される収納部を備えたことを特徴とする請求項１又は２に記載の非常用電源装置。
【請求項４】
前記可搬部の前記ケースには、前方を照らす照明部が設けられていることを特徴とする請求項１〜３の何れかに記載の非常用電源装置。
【請求項５】
前記ケースには、
前記蓄電部を充電する直流電流が入力される充電入力端子と、
太陽電池パネルからの直流電流が入力される複数のソーラー入力端子と
が設けられていることを特徴とする請求項１〜４の何れかに記載の非常用電源装置。
【請求項６】
前記固定部は、前記取り付け部としての建物の壁面に当接して固定される壁面固定部であることを特徴とする請求項１〜５の何れかに記載の非常用電源装置。
【請求項７】
前記固定部は、前記取り付け部としての架台に当接して固定される架台固定部であることを特徴とする請求項１〜５の何れかに記載の非常用電源装置。
【請求項８】
前記架台は、自立式の架台であることを特徴とする請求項７に記載の非常用電源装置。
【発明の詳細な説明】
【技術分野】
【０００１】
本発明は、非常用電源装置に関し、詳細には、商用交流電源の停電時に内蔵した二次電池から電源を供給する非常用電源装置に関する。
【背景技術】
【０００２】
近年では、電灯やテレビジョン以外にもパーソナルコンピュータ等の電子機器やＣＰＵを内蔵し、電子制御される装置が増えている。これらの装置では、商用交流電源から電源が供給されるものが多い。一方、大地震、台風、落雷等の自然災害時や発電所から電力の送電システムの故障時には、商用交流電源が停電することがあり、交流電源の供給を絶たれると、これらの装置が停止し、業務や日常生活に重大な影響を与える。また、夜間の場合には、電灯も点灯せず避難の重大な障害になる。この問題を解決する為に、特許文献１には、商用交流電源から所定の直流電圧を生成する充電器と、入力ヒューズを介して充電器に接続された高耐久性蓄電池と、サーキットブレーカを介して高耐久性蓄電池に接続されたインバータと、高耐久性蓄電池の電極端子間に接続された蓄電池容量残量計と、前記の各構成要素が一体に装着内蔵された可搬型ケースとから構成される非常用の可搬型電源装置が記載されている。この可搬型電源装置では、可搬型ケースの底部にキャスターが設けられて移動可能である。また、商用交流電源から充電器を介して、高耐久性蓄電池が充電され、停電時には、インバータにより所定の交流電圧を出力することができる。
【先行技術文献】
【特許文献】
【０００３】
【特許文献１】実用新案登録第３１７２５１４号公報
【発明の概要】
【発明が解決しようとする課題】
【０００４】
しかし、特許文献１に記載の非常用電源装置では、キャスターにより床面上に置かれるので、通路の清掃時等に邪魔になるという問題点があった。また、従来の非常用電源装置は、キャスターにより移動可能であるので、移動しやすく目に見える所に設置されず、倉庫、備蓄倉庫、災害用倉庫などにしまい込んでしまっている為、非常時に何処に置かれているか探す時間が掛かるという問題点があった。更に、階段や瓦礫等の障害物を越えて、持ち運びにくいという問題点があった。さらに、特許文献１に記載の非常用電源装置では、夜間には、何処に設置されているか分からないという問題点があった。また、特許文献１に記載の非常用電源装置では、電灯や延長コードは内蔵できないので、電灯や延長コード等は別に探して持ってくる必要があるという問題点があった。
【０００５】
本発明は、上記課題を解決するために成されたものであり、第１の目的は、設置場所が床面に限られず可搬性に優れた非常用電源装置を提供することである。また、第２の目的は、夜間や停電時に何処に設置されているのかが分かる非常用電源装置を提供することである。さらに、第３の目的は、電灯や延長コード等を収納できる非常用電源装置を提供することである。
【課題を解決するための手段】
【０００６】
本発明の一実施形態の非常用電源装置は、電荷を蓄電可能な蓄電部を内蔵し、持ち運び可能な可搬部と、前記蓄電部を充電する充電器を内蔵し、前記可搬部を着脱可能に保持する充電部とを備えた非常用電源装置であって、前記可搬部は、前記蓄電部を収納するケースと、前記ケースに収納されたインバータと、前記ケースに設けられた把持部と、前記ケースに設けられ、前記インバータからの交流電流が出力される交流出力部と、前記ケースに設けられ、前記蓄電部を充電する直流電流が入力される直流入力部とを備え、前記充電部は、前記可搬部を着脱可能に保持する保持部と、前記充電器を収納する収納部と、前記充電部が取り付けられる取り付け部に当接して固定される固定部とを備え、前記ケースは、上面、正面、左側面、右側面、底面、及び背面の六面から箱型に形成され、前記左側面には、係合突起が突出し、前記右側面には、係合突起が突出し、前記保持部は、前記左側面に対向する保持部左側面と、前記右側面に対向する保持部右側面とを備え、前記保持部左側面には、前記左側面の係合突起が係合する、前記正面の側から前記底面の方向である下方に向けて屈曲した係合溝が設けられ、前記保持部右側面には、前記右側面の係合突起が係合する、前記正面の側から前記底面の方向である下方に向けて屈曲した係合溝が設けられていることを特徴とする。
【０００７】
この構成の非常用電源装置では、充電部が固定部により、取り付け部である建物等の壁面や架台に固定される。従って、非常用電源装置が床に置かれず、掃除等の邪魔になることがない。また、可搬部は、充電部から着脱可能であり、使用者は把持部を把持して可搬部を使用する場所に容易に運搬することができる。従って、設置場所が床面に限られず可搬性に優れた非常用電源装置を実現することができる。従って、本発明の非常用電源装置は、ＡＥＤの様に目に見える所に設置ができ、いざという時には安全な場所に誰もが自由に持ち運びができ、使用ができる。また、可搬部のケースは、正面の側から下方に向けて屈曲した係合溝に係合突起が係合して保持されるので、可搬部のケースは保持部に確実に保持されるともに容易に取り外すことができる。
【０００８】
また、非常用電源装置では、前記可搬部の前記ケースには、前記可搬部が非常用電源であることを示す発光表示部が設けられていてもよい。この場合には、夜間や停電時にも非常用電源装置が何処に設置されているか分かりやすい。
【０００９】
また、前記充電部は、前記交流出力部に接続される機器が収納される収納部を備えてもよい。この場合には、交流出力部に接続される機器が充電部に収納可能であるので、電灯や延長コードを別に探して持ってくる必要がない。
【００１０】
また、前記可搬部の前記ケースには、前方を照らす照明部が設けられていてもよい。この場合には、非常用電源装置の可搬部自体が懐中電灯の代わりになる。
【００１１】
また、前記ケースには、前記蓄電部を充電する直流電流が入力される充電入力端子と、太陽電池パネルからの直流電流が入力される複数のソーラー入力端子とが設けられていてもよい。この場合には、停電時でも、非常用電源装置の可搬部に複数の太陽電池パネルから直流電流を供給して充電することができる。従って、ＡＣ電源の供給されない所でも、太陽電池パネルにより非常用電源装置の蓄電部を充電して繰り返し使用できる。
【００１３】
また、前記固定部は、前記取り付け部としての建物の壁面に当接して固定される壁面固定部であってもよい。この場合には、壁面固定部により非常用電源装置の充電器は建物の壁面に固定される。また、固定部は、前記取り付け部としての架台に当接して固定される架台固定部であってもよい。この場合には、架台固定部により非常用電源装置の充電器は架台に固定されるので、非常用電源装置の設置の自由度が高まる。また、架台は、自立式の架台であってもよい。この場合には、架台は移動可能であり、床面の何れの場所にも設置可能である。
【図面の簡単な説明】
【００１４】
【図１】非常用電源装置１の斜視図である。
【図２】非常用電源装置１の正面図である。
【図３】可搬部３の斜視図である。
【図４】可搬部３の正面図である。
【図５】可搬部３の背面図である。
【図６】充電部２の斜視図である。
【図７】非常用電源装置１の左側面図である。
【図８】非常用電源装置１の右側面図である。
【図９】非常用電源装置１の底面図である。
【図１０】非常用電源装置１のブロック図である。
【図１１】第二実施形態の非常用電源装置１の斜視図である。
【図１２】第二実施形態の非常用電源装置１の配面図である。
【発明を実施するための形態】
【００１５】
以下、本発明の第一実施形態である非常用電源装置１について、図面を参照して説明する。図１及び図２に示すように、非常用電源装置１は、充電部２と、充電部２に着脱可能な可搬部３とから構成される。
【００１６】
＜可搬部３の構造＞
初めに、図３〜図５を参照して、可搬部３の構造を説明する。可搬部３は、内部に、後述する二次電池ユニット４３（図１０参照）及びインバータ４４（図１０参照）等を内蔵している。図３〜図５に示すように、可搬部３は箱型のケース３０から構成され、長方形の上面３２、正方形の正面３４、長方形の左側面３５、長方形の右側面３６、長方形の底面３９、及び正方形の背面３８を備える。ケース３０は、鉄又はアルミニウム合金等の金属板、又は、合成樹脂の板材により構成される。図３及び図４に示すように、正面３４の上部には、横長の長方形の発光表示部３４Ａが設けられている。発光表示部３４Ａは、透光性を有する合成樹脂の板材から形成されており、内部に後述する内蔵ＬＥＤ３４Ｂ（図１０参照）が設けられている。発光表示部３４Ａの表面には、一例として「非常用電源装置／Ｅｍｅｒｇｅｎｃｙ  Ｐｏｗｅｒ  Ｓｕｐｐｌｙ」と記載されている。
【００１７】
図３〜図５に示すように、可搬部３の上面３２には、使用者が把持する把持部３３が設けられている。また、図３に示すように、左側面３５の上部には、照明部４１が設けられている。照明部４１には、図１０に示す照明ＬＥＤ４１Ａが設けられている。照明ＬＥＤ４１Ａは、一例として、高輝度の白色ＬＥＤ８個から構成されている。左側面３５上において、照明部４１の上方には、円柱状の係合突起３５Ａが設けられ、照明部４１の下方にも、円柱状の係合突起３５Ｂが設けられている。係合突起３５Ａ及び係合突起３５Ｂは、後述する充電部２の左側面２２に設けられている係合溝２２Ａ及び係合溝２２Ｂに各々係合して保持される。また、図４、図５及び図８に示すように、右側面３６上において、真中より下部には、交流コンセント部４０が設けられている。交流コンセント部４０は、表面を蓋４０Ａが開閉可能に覆い、内部にインバータ４４から供給される交流１００Ｖの差し込み口が上下に２つ設けられている。図４、図５及び図８に示すように、右側面３６上において、交流コンセント部４０の上方には、円柱状の係合突起３６Ａが設けられ、係合突起３６Ａは、後述する充電部２の右側面２５に設けられている係合溝２５Ａ（図６及び図８参照）に係合して保持される。
【００１８】
次に、図３及び図５を参照して、コネクタ部３７について説明する。図３及び図５に示すように、可搬部３の背面３８の右端の中央のやや上から下方に向けて、直方体形状の切り欠き部が形成されている。図５に示すように、コネクタ部３７は、この切り欠き部に設けられている。コネクタ部３７には、下から充電入力端子５１、ソーラー入力端子５２及びソーラー入力端子５３が順に一例に設けられている。充電入力端子５１には、後述するコネクタ６２（図６及び図１０参照）が接続され、一例として、直流の１２Ｖが入力される。ソーラー入力端子５２及びソーラー入力端子５３には、図示外のソーラーパネルからの直流電流が入力される。充電入力端子５１、ソーラー入力端子５２及びソーラー入力端子５３は、キャップ付きの防水端子となっている。
【００１９】
また、図５に示すように、可搬部３の背面３８には、四隅に、平型ゴム足が３８Ａ，３８Ｂ，３８Ｃ，３８Ｄが各々設けられている。また、背面３８の左上隅の平型ゴム足３８Ａの右隣には、インバータスイッチ５４が設けられている。背面３８の右上隅の平型ゴム足３８Ｃの左隣には、内蔵ＬＥＤスイッチ５５が設けられ、内蔵ＬＥＤスイッチ５５の下方には、照明ＬＥＤスイッチ５６が設けられている。これらのインバータスイッチ５４、内蔵ＬＥＤスイッチ５５及び照明ＬＥＤスイッチ５６は、一例として、防水式の埋め込み式プッシュスイッチとなっている。また、図４及び図５に示すように、底面３９には、四隅に、平型ゴム足３９Ａ，３９Ｂ，３９Ｃ，３９Ｄが各々設けられている。従って、可搬部３は、係合突起３５Ａ，３５Ｂ，３６Ａ及び平型ゴム足３９Ａ，３９Ｂ，３９Ｃ，３９Ｄにより、充電部２に着脱可能に保持される。また、可搬部３は、上記の平型ゴム足により、取り外し時には、水平にも垂直にも設置可能である。
【００２０】
＜充電部２の構造＞
次に、図１、図６、図７、図８及び図９を参照して、充電部２の構造を説明する。充電部２は、図１に示すように、可搬部３を収納して、可搬部３に内蔵された二次電池ユニット４３（図１０参照）を充電する。図６に示すように、充電部２は、前方が開放された箱型に形成されており、上面２３、左側面２２、右側面２５、背面２４、底面２８（図９参照）を有する。また、図６に示すように、充電部２の前面側の下部には、横長の箱型の充電器収納部２１が設けられている。充電器収納部２１は、収納部上面２１Ａ（図６参照）、左側面２１Ｂ（図７参照）、右側面２１Ｃ（図８参照）、底面２１Ｄ（図９参照）、及び図示外の背面を備える。収納部上面２１Ａには、図１に示すように、可搬部３が載置される。充電器収納部２１には、図１０に示す充電器６０及びブレーカ６１が内蔵されている。充電部２は、一例として、鉄又はアルミニウム合金等の金属板、又は、合成樹脂の板材により構成される。
【００２１】
充電部２の上面２３は、横長の長方形の板材である。左側面２２は、下部の幅が狭くなった縦長の板材であり、上部に、可搬部３の係合突起３５Ａが係合する一端部が開放された屈曲した溝である係合溝２２Ａが設けられ、係合溝２２Ａの下方に可搬部３の係合突起３６Ａが係合する一端部が開放された屈曲した溝である係合溝２２Ｂが設けられている。右側面２５は、下部２／３の幅が狭くなった縦長の板材であり、上部に、可搬部３の係合突起３６Ａが係合する一端部が開放された屈曲した溝である係合溝２５Ａが設けられている。係合溝２２Ａは、係合突起３５Ａが挿入可能な幅が有り、前方に向けて開口しており、開口からやや斜め下方に向けて所定長さ傾斜し、その後、屈曲して下方に向けて所定長さ形成されている。即ち、係合溝２２Ａは、前方（可搬部３の正面３４の側）から下方に向けて屈曲した係合溝となっている。係合溝２２Ｂ及び係合溝２５Ａも同様の構造になっている。従って、充電部２に可搬部３を取り付けた状態では、確実に可搬部３が充電部２に保持される。また、充電部２から可搬部３を取り外す場合には、使用者は把持部３３を把持して上方に少し持ち上げ前方に引けば、可搬部３が充電部２から容易に取り外すことが出来る。
【００２２】
図６に示すように、充電部２では、左側面２２と右側面２５との間の空間の収納部上面２１Ａの上方部分が可搬部３の保持部２７になる。また、充電器収納部２１と背面２４との間には隙間が形成されており、電灯、延長コード、テーブルタップ、蛍光灯、折りたたみ式太陽電池パネル等の付属品を収納する付属品収納部２０となっている。また、保持部２７と背面２４との間の空間も付属品収納部２０に連続した空間であり、付属品を収納可能である。従って、蛍光灯のように長さの長い付属品でも収納可能である。また、充電器収納部２１と背面２４との間からは、可搬部３の充電入力端子５１に接続されて二次電池ユニット４３を充電するコネクタ６２が引き出される。
【００２３】
また、背面２４には、充電部２を建物の壁面１００（図１参照）に固定するねじが貫通するねじ穴２４Ａが複数設けられている。また、図８に示すように、充電器収納部２１の右側面２１Ｃには、充電器６０（図１参照）の動作状態を表示する充電器状態表示灯２９Ａが設けられている。充電器状態表示灯２９Ａの中には、図１０に示す充電器状態表示ＬＥＤ２９Ｂが内蔵されている。また、図９に示すように、充電器収納部２１の底面２１Ｄには、換気口２１Ｅ及び交流１００Ｖ配線配管入線板２１Ｆが設けられている。換気口２１Ｅには、防湿・防虫フィルターが設け、湿気や害虫を充電器収納部２１の中に入れずに、充電器６０の熱を外部に排出するようになっている。また、交流１００Ｖ配線配管入線板２１Ｆを取り外して、交流１００Ｖの配線を建物のコンセントまで引き出すことが出来る。
【００２４】
＜電気的構成＞
次に、図１０を参照して、非常用電源装置１の電気的構成を説明する。非常用電源装置１の充電部２の充電器収納部２１（図６参照）の内部には、交流電源に接続され、一例として１００Ｖの交流を１２Ｖの直流に変換して出力する充電器６０が設けられている。充電器６０は、周知のＡＣ／ＤＣコンバータである。充電器６０の出力側には、過負荷や短絡により、直流１２Ｖの出力電流が一定以上の過電流になった場合に遮断するブレーカ６１が設けられている。ブレーカ６１の出力側には、ケーブルにより接続されたコネクタ６２が設けられている。コネクタ６２は、可搬部３の充電入力端子５１に接続される。また、充電器６０の出力側には、充電器６０の出力電圧により充電器６０の動作状態を表示する充電器状態表示ＬＥＤ２９Ｂが接続されている。
【００２５】
可搬部３内には、電荷を貯める二次電池ユニット４３が設けられている。二次電池ユニット４３の入力側には、直流の１２Ｖが入力される充電入力端子５１、図示外の太陽電池パネルからの出力電流が入力されるソーラー入力端子５２及びソーラー入力端子５３が並列接続されている。太陽電池パネルは、１つでも、２つでも接続可能である。従って、停電により１００Ｖの交流電流が供給されない場合には、太陽電池パネルにより二次電池ユニット４３を充電することも可能である。また、１つの太陽電池パネルでは、発電量が足りない場合には、２つの太陽電池パネルを接続して、二次電池ユニット４３を充電することも可能である。
【００２６】
二次電池ユニット４３内には、図示しない、リチウムイオン電池と充電制御回路が組み込まれている。二次電池ユニット４３の出力側には、インバータスイッチ５４を介して、インバータ４４が接続され、また、内蔵ＬＥＤスイッチ５５を介して、内蔵ＬＥＤ３４Ｂが接続され、また、照明ＬＥＤスイッチ５６を介して、照明ＬＥＤ４１Ａが接続されている。可搬部３を充電部２の保持部２７から取り外して、可搬部３のインバータスイッチ５４をＯＮにすると、インバータ４４が作動して、二次電池ユニット４３から出力される直流電流を一例として、１００Ｖの交流電流に変換する。従って、交流コンセント部４０に蛍光灯、携帯電話・スマートフォンの充電器、ラジオ、パーソナルコンピュータ等のＡＣコードの端子を差し込んで利用することができる。
【００２７】
また、可搬部３の内蔵ＬＥＤスイッチ５５をＯＮにしておくと、内蔵ＬＥＤ３４Ｂが点灯し、発光表示部３４Ａが発光して、「非常用電源装置／Ｅｍｅｒｇｅｎｃｙ  Ｐｏｗｅｒ  Ｓｕｐｐｌｙ」との文字が夜間でも認識できるようになる。また、可搬部３を充電部２の保持部２７から取り外して、照明ＬＥＤスイッチ５６をＯＮにすると、照明部４１の照明ＬＥＤ４１Ａが点灯して、照明部４１の前方を照らすことができる。また、二次電池ユニット４３の出力側には、電圧検出部４５が接続され、二次電池ユニット４３の充電状態を残量メータ４６に出力して表示する。残量メータ４６は、可搬部３の正面３４に設けるようにしてもよい。残量メータ４６はオプションであり、必ずしも設けなくてもよい。
【００２８】
以上説明したように、本実施の形態の非常用電源装置１によれば、充電部２は固定部である背面２４の裏面側が建物等の壁面に当接して固定される。従って、非常用電源装置１が床に置かれず、掃除等の邪魔になることがない。また、可搬部３は、充電部２から着脱可能であり、使用者は把持部３３を把持して可搬部３を使用する場所に容易に運搬することができる。従って、設置場所が床面に限られず可搬性に優れた非常用電源装置１を実現することができる。
【００２９】
また、可搬部３のケース３０には、可搬部３が非常用電源であることを示す発光表示部３４Ａが設けられていているので、夜間や停電時にも非常用電源装置１又は可搬部３が何処に設置されているか分かりやすい。また、充電部２には、付属品収納部２０が設けられているので、電灯、延長コード、太陽電池等を収納でき、別に探して持ってくる必要がない。また、可搬部３のケース３０には、照明部４１が設けられているので、非常用電源装置１の可搬部３自体が懐中電灯の代わりになる。また、可搬部３のケース３０には、充電入力端子５１と、太陽電池パネルからの直流電流が入力される複数のソーラー入力端子５２，５３とが設けられているので、停電時でも、非常用電源装置１の可搬部３に複数の太陽電池パネルから直流電流を供給して充電することができる。
【００３０】
＜第二実施形態＞
次に、図１１及び図１２を参照して、非常用電源装置１の第二実施形態について説明する。第一実施形態の非常用電源装置１の充電部２は、壁面固定部としての背面２４が建物等の壁面１００に固定されるものであった。これに対して、第二実施形態の非常用電源装置１は、図１１及び図１２に示すように、非常用電源装置１の充電部２は、架台固定部としての背面２４が架台２００に固定される。架台２００は、一例として鉄製の自立式の架台である。架台２００は、角柱の所定長さの下部フレーム２１０及び下部フレーム２２０が充電部２の横幅と略同一幅で平行に延設されている。下部フレーム２１０と下部フレーム２２０との間には、角柱の桁２６０及び桁２６１が掛け渡されている。下部フレーム２１０の前後端部の下面には、床面との高さを調整するアジャスタ２１１及びアジャスタ２１２が各々設けられ、下部フレーム２２０の前後端部の下面には、床面との高さを調整するアジャスタ２２１及びアジャスタ２２２が各々設けられている。
【００３１】
下部フレーム２１０の上面には支柱２３０が下部フレーム２１０と直交方向に立設され、下部フレーム２２０の上面には支柱２４０が下部フレーム２２０と直交方向に立設されている。支柱２３０及び支柱２４０は、鉄製の角柱である。下部フレーム２１０と支柱２３０との接続部には補強板２１３が設けられ、下部フレーム２２０と支柱２４０との接続部には補強板２２３が設けられている。また、支柱２３０の上端部と支柱２４０の上端部は、上部フレーム２５０により接続されている。また、支柱２３０と支柱２４０との間には、桁２５１及び桁２５２が所定間隔開けて掛け渡されている。図１２に示すように、桁２５１及び桁２５２は、背面視、横長の長方形の金属板である。桁２５１及び桁２５２に充電部２の背面２４が図示外のねじにより固定される。この非常用電源装置１の第二実施形態では、充電部２は、自立式の架台２００に固定されるので、充電部２を壁に固定する必要が無く、非常用電源装置１の設置の自由度を高めることができる。また、架台２００は移動能であり、床面の何れの場所にも設置可能である。
【００３２】
二次電池ユニット４３が本発明の「蓄電部」の一例である。また、交流コンセント部４０が本発明の「交流出力部」の一例である。また、充電入力端子５１が「直流入力部」の一例である。また、背面２４が本発明の「固定部」、「壁面固定部」及び「架台固定部」の一例である。また、左側面２２が、本発明の「保持部左側面」の一例であり、右側面２５が、本発明の「保持部右側面」の一例である。また、壁面１００又は架台２００が本発明の「取り付け部」の一例である。
【００３３】
尚、本発明は、上記実施の形態に限られず、各種の変形が可能である。例えば、交流コンセント部４０に加えて、可搬部３のケース３０の外側面にシガーソケットやＵＳＢ端子を設けて、インバータ４４を介さずに二次電池ユニット４３から直接、直流電流を出力するようにしてもよい。また、可搬部３に内蔵される二次電池ユニット４３のリチウムイオン電池の数は、１個に限られず、２個、４個等の複数個内蔵してもよい。また、二次電池ユニット４３は、リチウムイオン電池に限られず、ニッケル水素電池、鉛蓄電池、電気二重層コンデンサ等のキャパシタでもよい。また、インバータ４４からの出力は、交流１００Ｖに限られず、１１５Ｖ，１２０Ｖ、２００Ｖ，２４０Ｖ等の使用国の電圧に合わせればよい。また、交流の周波数も６０Ｈｚ、５０Ｈｚ等使用国の周波数に合わせればよい。尚、非常用電源装置１は、壁付けに限られず、床面に載置してもよい。また、充電部２及び可搬部３の形状は、上記実施の形態に限られない。また、係合溝２２Ａ，２２Ｂ，２５Ａの形状は、上記実施の形態に限られず、可搬部３が着脱可能な形状であればよい。例えば、正面側から下方に向けて円弧状に形成してもよい。また、上記実施の形態では、ソーラー入力端子５２及びソーラー入力端子５３の２つを設けたが。２つに限られず、３つ、４つ等任意の複数を設ければよい。また、１つでもよい。また、架台２００は、鉄製に限られず、アルミニウム合金製等の金属製でもよく、非常用電源装置１を支持する強度があれば、合成樹脂製でもよい。また、架台２００の下部には、キャスターを設けて移動可能にしてもよい。また、キャスターには、ロック機構を設けてもよい。
【符号の説明】
【００３４】
１        非常用電源装置
２        充電部
３        可搬部
２０      付属品収納部
２１      充電器収納部
２２Ａ    係合溝
２２Ｂ    係合溝
２４      背面
２５Ａ    係合溝
２４Ａ    ねじ穴
２７      保持部
２９Ａ    充電器状態表示灯
２９Ｂ    充電器状態表示ＬＥＤ
３０      ケース
３３      把持部
３４Ａ    発光表示部
３４Ｂ    内蔵ＬＥＤ
３５Ａ    係合突起
３５Ｂ    係合突起
３６Ａ    係合突起
４０      交流コンセント部
４１      照明部
４１Ａ    照明ＬＥＤ
４３      二次電池ユニット
４４      インバータ
４５      電圧検出部
４６      残量メータ
５１      充電入力端子
５２      ソーラー入力端子
５３      ソーラー入力端子
５４      インバータスイッチ
５５      内蔵ＬＥＤスイッチ
５６      照明ＬＥＤスイッチ
６０      充電器
６１      ブレーカ
６２      コネクタ
１００    壁面
２００    架台
【図１】
0006692177.tif 000002
【図２】
0006692177.tif 000003
【図３】
0006692177.tif 000004
【図４】
0006692177.tif 000005
【図５】
0006692177.tif 000006
【図６】
0006692177.tif 000007
【図７】
0006692177.tif 000008
【図８】
0006692177.tif 000009
【図９】
0006692177.tif 000010
【図１０】
0006692177.tif 000011
【図１１】
0006692177.tif 000012
【図１２】
0006692177.tif 000013